(57)【特許請求の範囲】
【請求項１】
机装置における天板の側端部に、液晶ディスプレイ等の薄型表示装置（以下、モニターという）を配置するためのモニタースタンドであって、該モニタースタンドは、前記天板の側端部の上方に前面側に取付けた前記モニターを位置付けることができる高さに形成した略門形のスタンドフレームと、前記モニターより下方に設置した前記スタンドフレームの内周面に当該スタンドフレームに水平に架設した横棧部材を介して張設した幕板と、前記スタンドフレーム後面に着脱式で設置されて前記スタンドフレームの後面略全域を覆うように形成したバックパネルと、前記スタンドフレームの奥行き幅より大きい奥行き幅に形成して前記スタンドフレームの下端部に取付けた平板状の安定板を備え、前記安定板は、前記スタンドフレームの奥行きの前方側に偏位させて配置され、且つ前部辺側の上面に前記机装置の脚体の下辺部材を係合するための手段を有することを特徴とするモニタースタンド。
【請求項２】
前記スタンドフレームの前面側には、前記装置の天板下面に結合される天板結合用のブラケットを設け、前記安定板の上方において前記ブラケットを前記机装置に結合するようにした請求項1に記載のモニタースタンド。
【請求項３】
前記スタンドフレームに架設した横棧部材には、着脱可能なトレー部材を取付けた請求項1又は２に記載のモニタースタンド。
【請求項４】
前記トレー部材及び／又は前記横桟部材には、余長ラインを結束するための結束ベルトを備えた請求項３に記載のモニタースタンド。
【請求項５】
前記バックパネルを前記スタンドフレームの後面に装着するため、当該バックパネルの下部をケンドン式で前記スタンドフレームに着脱できるように形成する一方、当該バックパネルの上半側は前記フレームの前面側からねじ込まれる止めネジの呼び込み作用で前記スタンドフレームに固定、離脱できるようにした請求項１〜４のいずれかに記載のモニタースタンド。
【請求項６】
前記モニターは、床から立上る電源ラインと信号ラインを、前記幕板又は前記バックパネルの下端と前記安定板の間に形成された隙間から前記バックパネルと前記幕板の間に導入し、前記モニターに接続するようにした請求項１〜５のいずれかに記載のモニタースタンド。
【発明の詳細な説明】
【技術分野】
【０００１】
本発明は机やテーブル等の天板付き家具（以下、単に「机装置」という）における天板の側端部に、液晶ディスプレイ等の薄型表示装置（以下、モニターという）を配置するためのモニタースタンドに関する。
【背景技術】
【０００２】
近時、複数人用の大型天板を備えた机装置が、オフィス等におけるチーム業務などの打合せや会議などにおいて広く使用されるようになった。
【０００３】
上記の机装置は、大型天板と該天板を支持した脚体とからなるテーブル状のものであるため、キャビネットやデスク衝立てなどの付属部材は設けられていない。
【０００４】
しかし、上記机装置に複数の人員が着いて行われる打合せや会議などにおいては、資料等の提示のためにモニターがあることが好ましい場合がしばしばある。
【０００５】
上記のような点に鑑み、従来より机装置に後からモニターを設置することができるようにしたモニタースタンドが特許献上１，２などにより提案されている。
【先行技術文献】
【特許文献】
【０００６】
【特許文献１】特許第４５１０１９４号公報
【特許文献２】特開２０１２−１００８７１号公報
【発明の概要】
【発明が解決しようとする課題】
【０００７】
上記文献１のモニタースタンドは、スタンド底板の面積を大きくして自立可能にすると共に、該底板にキャスターを設けて移動できるようにした点で汎用性の高いものであったが、移動用のキャスターを備えているため机装置と結合されないのみならず、床面からキャスターが突出して人の足に当るなど前記キャスターが邪魔になりやすく、また、地震等による転倒防止のため、底板面積をかなり大きく形成していることによりスペース効率もよくなく、さらに、前記底板に立設されてモニターを前面に取付けるスタンドも内部を配線収納部としているために前後幅をかなり厚目に形成していることにより、見映えの面でもスマート感に欠けていた。
【０００８】
一方、前記文献２のモニタースタンドは、上記文献１のモニタースタンドの問題に鑑み、移動可能性を担保する構造を採らず、机装置にモニタースタンドを直接取り付ける方式を採用したので、モニタースタンドの平面投影面積を小さくすることはできた。しかし、モニタースタンド全体が机装置と一体化して取付けられているため、これが地震による震動を受けるとモニタースタンドを一体化した机装置の耐震性（転倒しないこと）に難のあることが判った。
【０００９】
そこで本発明では、机装置に結合はされるがモニタースタンド側の構成によって当該スタンドの自重を安定に支持できる構造を備えたモニタースタンドを提供することを課題として、本発明を完成した。
【課題を解決するための手段】
【００１０】
上記課題を解決することを目的としてなされた本発明モニタースタンドの構成は、
机装置における天板の側端部に、液晶ディスプレイ等の薄型表示装置（以下、モニターという）を配置するためのモニタースタンドであって、該モニタースタンドは、前記天板の側端部の上方に前面側に取付けた前記モニターを位置付けることができる高さに形成した略門形のスタンドフレームと、前記モニターより下方に設置した前記スタンドフレームの内周面に当該スタンドフレームに水平に架設した横棧部材を介して張設した幕板と、前記スタンドフレーム後面に着脱式で設置されて前記スタンドフレームの後面略全域を覆うように形成したバックパネルと、前記スタンドフレームの奥行き幅より大きい奥行き幅に形成して前記スタンドフレームの下端部に取付けた平板状の安定板を備え、前記安定板は、前記スタンドフレームの奥行きの前方側に偏位させて配置され、且つ前部辺側の上面に前記机装置の脚体の下辺部材を係合するための手段の係合爪部を有することを特徴とするものである。
上記において、前記モニターの床から立上る電源ラインと信号ラインは、前記幕板又はバックパネルの下端と安定板の間に形成された隙間から前記バックパネルと幕板の間に導入し、前記モニターに接続する。

【００１１】
前記モニタースタンドにおいて、前記フレームの下端部に、当該フレームの奥行幅（前後幅）より前後幅を大きく形成した平板状の安定板を、その前部辺が前記フレームの奥行き前方側に偏位するように取付け、該安定板が前記フレームの奥行手前側（バックパネル側）に一切突出しないように設け、また、前記フレームの前面側に、机装置の天板下面に結合される天板結合用のブラケットを設けると共に前記安定板の上面に、机装置の脚体下辺部材に係合される係合爪部を設け、前記ブラケットと爪部によってモニタースタンドを机装置に結合するようにした。
【００１２】
また、前記フレームに架設した横棧部材には、着脱可能なトレー部材を取付け、前記バックパネル下端部から導入した前記電源，信号の両ラインの余長部を該トレー部材に支持させるなどトレー部材の上で処理できるようにしている。このためトレー部材には、余長ラインを結束するための結束ベルトを備えるとよい。
【００１３】
本発明では、上記バックパネルを、スタンドフレームの後面に当該パネルの下部をケンドン式で前記フレームに着脱できるようにする一方、このパネルの上半側は前記フレームの前面側からねじ込まれる止めネジの呼び込み作用で前記フレームに固定、離脱できるようにしたから、バックパネルの略全域に当該パネルの着脱のための手掛り切欠部やハンドル、或は、止めねじなどが存在せず、この点で本発明モニタースタンドはバックパネル側からの見映えが良好である。
【発明の効果】
【００１４】
本発明モニタースタンドは、前記天板の側端部の上方に前面側に取付けたモニターを位置付けることができる高さに形成した略門形のスタンドフレームと、該フレームの下端部に取付けられた当該フレームの奥行幅（前後幅）より前後幅を大きく形成した平板状の安定板と、前記モニターより下方の前記フレームの内周面に、当該フレームに水平に架設した横棧部材を介して張設した幕板と、前記フレーム後面に着脱式で装着されて前記スタンドフレームの後面の略全域を覆うように形成したバックパネルにより形成したから、前記スタンドフレームに設けた天板結合用のブラケットと安定板に設けた係合爪部によって机装置に結合することができ、また、前記安定板を平板とし机の脚フレームと一体化したことにより得られる橇効果によって、地震時の免震効果が向上するとともに、取付けたモニターに人が当たったような場合でもスタンドフレームの振れ（揺れ）時間を短縮できるから、モニタースタンドを後付けした机装置の耐震性や転倒防止性を高いレベルに保持できる。
さらに、前記モニタースタンドの前面に取付けたモニターの電源ラインと信号ラインは、床から立上った両ラインを前記安定板とバックパネル下端の間に形成された隙間から前記フレーム内に導入してモニターに接続することができる。
【図面の簡単な説明】
【００１５】
【図１】本発明モニタースタンドの一例を机装置に設備した状態を背面側から見た斜視図。
【図２】図１のモニタースタンドを正面側から見た斜視図。
【図３】本発明はモニタースタンドにおいてのスタンドフレームを床に倒して安定板の取付け状態を説明するための斜視図。
【図４】図１、図２のモニタースタンドの正面側の構造を説明するための斜視図。
【図５】本発明モニタースタンドを机装置に設備するため机装置に対置した状態の俯瞰斜視図。
【図６】図５のモニタースタンドを机装置に設備している状態の蛙観斜視図。
【図７】本発明モニタースタンドの下部と机装置の脚体の下辺部材との関係を説明するための側面図。
【図８】本発明モニタースタンドのバックパネルの取付状態を説明するための斜視図。
【図９】本発明モニタースタンドのバックパネルをスタンドフレームにケンドン式で取付けるための第一段階の側面図。
【図１０】図９のバックパネルをスタンドフレームに取付け終えた状態の側面図。
【図１１】本発明モニタースタンドの別例を説明するための斜視図。
【発明を実施するための形態】
【００１６】
次に、本発明モニタースタンドの実施の形態例について図を参照して説明する。
図１，図２において、Ｔは複数の人員が周囲に付くことができる天板、Ｌは前記天板Ｔを支える脚体で、前記天板Ｔの長さ方向の左右側端部に配置され、前記天板Ｔと左右の脚体Ｌによって本発明モニタースタンドが設備される机装置ＤＳの一例を形成している。
【００１７】
図１、図２に例示した机装置ＤＳに設備される本発明モニタースタンドの一例は、以下に説明する構成を具備したものである。
【００１８】
図３において、１は角パイプ材やチャンネル材などにより形成した略門型をなすスタンドフレームで、その大きさの目安としては、例えば高さを１５００ｍｍ内外に、幅を５００ｍｍ程度に形成したものであるが、スタンドフレーム１の大きさは上記数値のものに限られるものではない。
【００１９】
図３のスタンドフレーム１では、下端側に上下幅１００ｍｍ前後の隙間ｇ１が形成され、かつ、上方にフレームの高さの１／３〜１／４程度の上下幅で開口部ｇ２が残るように、該フレーム１の内側を幕板２で塞いでいる。
また、該フレーム１は、左右支柱１ａ、１ｂの中間部の内側に複数本の横棧部材３１〜３３が架設されている。なお、前記フレーム１の上端部の上部梁１ｃの下部側の折曲げ部による補助梁１１ｃと幕板２の下端の折曲げ部による補助梁２ａは、前記梁１ｃや横棧部材３１〜３３と同様のフレーム補強作用をすると同時に、後述するモニターＭｄの取付部や機器用天板１２の取付部、或は、配線トレーＷｔの取付部として機能する。図３において２ｂは幕板２において横棧部材３２の上方に形成した配線口である。
【００２０】
図３において、４は、スタンドフレーム１の左右の支柱１ａ、１ｂの下端部にビスｂにより取付けられる安定板で、ここでは、平面から視て大略長方形状の鋼板製平板によって長辺をスタンドフレーム１の左右幅（外側寸法）と略同等に、短辺を前記フレーム１の前後幅の略３倍に形成している。スタンドフレーム１の材質や寸法も上記は一例であって、上記例以外であってもよいこと勿論である。
【００２１】
前記安定板４は、その前後幅の中心から見てスタンドフレーム１の前面側（奥行き前方側）に前部辺側をオフセット進出させて配置し、安定板の後部辺側は、後述するバックパネル７の平面投影の内側に隠れる（机と反対側には安定板が一切突出しない）ように左右の隅部を斜めにカットして斜辺４ａに形成すると共に、該斜辺４ａに挟まれた中間部を略凹状に切り落として凹陥部４ｂを形成している。該凹陥部４ｂは、床（フリーアクセスフロアなど）から引き出したテーブルタップなどがあっても該タップに安定板４が干渉せず、それゆえレイアウト変更の自由度が高まるなど、安定板４の凹陥部４ｂが床からの配線の立上げ阻害を少なくする。安定板４の面積が凹陥部４ｂにより減少しても、左右側に斜辺４ａを有するコーナー部が残っているから、安定性が損なわれることはない。なお、図３は前記スタンドフレーム１を床に倒して安定板４の取付状態を示しており、ＧＬは床の水平ラインである。
【００２２】
上記スタンドフレーム１は、図４〜図７に示すように、右の支柱１ａ、１ｂの前面に、調整用長孔５１ａを備えた支柱取付部５ａと天板取付部５ｂを有する天板結合用の左右のブラケット５、５が取付けられると共に、安定板４の上面に、机装置ＤＳにおける脚体Ｌの下辺部材Ｌ１の内部構造に係止される側断面略Ｌ状の２つの係合爪部６、６をそなえている。（図４〜図７参照）
【００２３】
前面側と背面側に上記の構成（ブラケット５と爪部６）が付与されたスタンドフレーム１は、図８に例示するように、さらに、上部の開口部ｇ２における補助梁１１ｃと上位の横棧部材３１の前面に、モニターＭｄを取付けるための縦棧状の取付装置８を取付ける。また、スタンドフレーム１は、その背面に、当該フレーム１の背面全体をカバーするバックパネル７を着脱自在に取付けるようにした。図８において、Ｗｂは横棧部材３１や配線トレーＷｔに着脱可能に設けた結束バンドで、前記電源と信号のラインＷ１、又はＷ２の余長部を結束する。図７においてＷ１はカメラや電子機器から出てスタンドフレーム１の内部を通り幕板２の下から天板Ｔの下方側に行く電源，信号のライン、Ｗ２はスタンドフレーム１に取付けたバックパネル７の下方の隙間から外に出る電源，信号のラインである（図１１も参照）。
【００２４】
バックパネル７のスタンドフレーム１への着脱構造としては、バックパネル７の下端部の左右の側面に設けた略Ｌ状の溝７ａと、この溝７ａに対応する前記フレーム１の内側面に設けた前記溝７ａに嵌まる軸ピン９とにより、当該バックパネル７の下部がケンドン式でスタンドフレーム１に着脱されるケンドン式着脱方式を採用する（図８の拡大図参照）一方、このバックパネル７の上半側は、前記スタンドフレーム１の前面側から該バックパネル７のネジ受部１１にねじ込まれ、このパネル７を前記フレーム１に呼び込む止めネジ１０により着脱するようにした（図１０参照）。
【００２５】
すなわち、図９に示すように、直立したスタンドフレーム１の下部の軸ピン９に、バックパネル７を少し後傾させた状態で該パネル下部の溝７ａを、図８の拡大図に示す要領で嵌め、しかる後、当該バックパネル７を図１０に示すように正立させ、この状態で前記フレーム１の前面側から止めネジ１０を前記パネル側のネジ受部１１にねじ込んで当該パネル７をスタンドフレーム１の側に呼込むことにより、バックパネル７をスタンドフレーム１に着脱自在に固定するようになっている。以上に説明したスタンドフレーム１から止めネジ１０とネジ受部１１までの部材によって本発明モニタースタンドの一例を形式するので、次にその使用態様について説明する。
【００２６】
上述した本発明モニタースタンドは、図１，図２に例示したように、スタンドフレーム１の前面上部に設けた取付部材８にモニターＭｄを架装した状態、又は、モニター未架装の状態で前にフレーム１の前面にブラケット５を調整用長穴５１ａのビスｂにより仮止めした状態で机装置ＤＳの天板Ｔの一側面に近接させて置く。
【００２７】
次いで、図７（ａ）に示すように前記机装置ＤＳの天板Ｔの一側部を持上げて脚体Ｌの下部を床面から浮かせた状態（脚体Ｌの下辺部材Ｌ１が係合爪部６を越えられる状態）に少し持ち上げ、この状態で前記スタンドフレーム１を前記脚体Ｌに当接するまで近付けてから、持上げていた前記机装置ＤＳを下すと、図７（ｂ）に示すように前記爪部６が脚体Ｌの下辺部材Ｌ１に係合した状態になる。なお、この状態でスタンドフレーム１を図７の右方に引いても、前記爪部６と脚体Ｌの下辺部材Ｌ１が係合していることによって当該フレーム１は図の右側には動かせない。
【００２８】
フレームスタンド１と机装置ＤＳの脚体Ｌが前記の図７（ｂ）の状態になったら前記フレーム１の支柱１ａ，１ｂの前面に支柱取付部５ａのビスｂで仮止めしていたブラケット５の天板取付部５ｂを天板Ｔの裏面に当接させてビスｂにより固定する。前記天板取付部５ｂの固定が済んだら支柱取付部５ａに仮止めしていた前記ビスｂを本締めして前にフレーム１の支柱１ｂ（１ａ）に前記取付部５ａを固定する。これによって本発明モニタースタンドは、机装置ＤＳの天板Ｔの側面に当接して結合される。
【００２９】
上記のように机装置ＤＳの天板Ｔの側面に設備されたバックパネル７を外したモニタースタンドは、スタンドフレーム１の前面側上部の取付装置８にモニターＭｄを取付ける一方（図８参照）、床から取出した電源と信号の両ラインＷ１又はＷ２をモニタースタンド下部における幕板２の下端の隙間から、該幕板２とバックパネル７の間に引込み（図７参照）、前記両ラインＷ１またはＷ２の先端部を前記モニターＭｄの背面の接続用コネクタに接続する（図７参照）。
【００３０】
電源，信号の両ラインのＷ１又はＷ２のモニターＭｄへの接続が終ったら両ラインＷ１又はＷ２の余長部分を束ねて配線トレーＷｔに収容する。その際、配線結束バンドＷｂで束ねた部分を結束すると余長部分をコンパクトに処理できる。
【００３１】
配線が終わり、余長部分の処理が終了したら、外していたバックパネル７を、図９，図１０に例示した態様でスタンドフレーム１の背面に、前記パネル７の下部をケンドン式で仮止めしてから上半側を前にフレーム１の背面に押当て、止めネジ１０をバックパネル７のネジ受部１１にねじ込んで、当該パネル７を前記フレーム１の側に引込みつつ取付けることにより、前記モニターＭｄを使用可能状態にする。
【００３２】
上記の本発明モニタースタンドは、図１１に示すような形態をとることもある。すなわち、前記スタンドフレーム１の前面であって前記ブラケット５と配線口２ｂの位置より下方に、テレビ会議システム用の受信機（チューナー等）の機器を載せるための機器用天板１２をブラケット１２ａを介して設けると共に、該フレーム１の上部梁１ｃにおける補助梁１１ｃに、断面が略逆Ｌ状のブラケット１３ａを介してカメラ台１３を設けることができる。なお、カメラ台１３には図示しないが一例として撮影用カメラを設置する。また、前記機器用天板１２のブラケット１２ａは、幕板２を通して裏側の横棧部材３２又は同３３を選択して取付けるようにしている。前記天板１２を選択的に横棧部材３２又は同３３にビスｂで取付けることにより、この天板１２の上面と天板Ｔの下面の間隔を調節し、当該機器用天板１２に載せる機器の厚さ（上下方向）に応じてこの天板１２の高さを選択できる。
【００３３】
本発明モニター用スタンドは以上の通りであるから、モニターの設置手段が設けられていない多人数用の机装置に後付けでモニターを設けるための手段として、耐震性が高く、かつ見た目も良好なモニタースタンドを提供することができる。
【符号の説明】
【００３４】
ＤＳ  机装置
Ｔ  天板
Ｌ  脚体
Ｌ１  脚体の下辺部材
１  スタンドフレーム
１ａ，１ｂ  支柱
１ｃ  上部梁
１１ｃ  補助梁
２  幕板
２ａ  補助梁
２ｂ  配線口
３１，３２，３３  横棧部材
４  安定板
４ａ  斜辺
４ｂ  凹陥部
５  天板結合用のブラケット
５ａ  支柱取付部
５ｂ  天板取付部
６  安定板４に設けた係合爪部
７  バックパネル
７ａ  略Ｌ状の溝
８  モニター取付装置
９  溝７に嵌まる軸ピン
１０  止めネジ
１１  ネジ受部
１２  機器用天板
１３  カメラ台
【図１】
0006559935.tif 000002
【図２】
0006559935.tif 000003
【図３】
0006559935.tif 000004
【図４】
0006559935.tif 000005
【図５】
0006559935.tif 000006
【図６】
0006559935.tif 000007
【図７】
0006559935.tif 000008
【図８】
0006559935.tif 000009
【図９】
0006559935.tif 000010
【図１０】
0006559935.tif 000011
【図１１】
0006559935.tif 000012